(57)【要約】【課題】折り畳み式携帯型通話装置において、筐体の折り畳み状態と非折り畳み状態における音質の変化を抑えること。【解決手段】受話部３３及び表示部３４を備える筺体３と送話部１４及びキー入力部５を備える筺体２とがヒンジ４により回動可能に連結されてヒンジ４を軸に相互に回転して折り畳み可能に構成された携帯型通話装置において、着信音等を鳴動するためのスピーカを筐体２内に実装し、呼出音放音用の音孔１３を筐体２のヒンジ結合部５０に設置したことにより、筐体３の開閉状態により、筐体３を開いた状態では表示部３４の下部に音孔１３が位置し、筐体３を閉じた状態では音孔１３が装置背面側の筐体３と筐体２との結合部５０に位置するようになる。これにより、折り畳み状態と非折り畳み状態における音質の変化が抑えられる。【選択図】　図１
2004023368.tif 000002
【特許請求の範囲】
【請求項１】
受話部及び表示部を有する第１の筺体と送話部及びキー入力部を備える第２の筺体とがヒンジにより回動可能に連結されて前記ヒンジを軸に相互に回転して折り畳み可能に構成された折り畳み式携帯型通話装置において、少なくとも着信音を鳴動するためのスピーカを前記第２の筐体内に設けると共に、呼出音放音用の音孔を前記第２の筐体のヒンジ結合部に設けて成り、前記第１の筐体の開閉状態により、前記第１の筐体を開いた状態では前記表示部の下部に前記音孔が位置することになり、前記第１の筐体を閉じた状態では前記音孔が背面側の前記第１の筐体と前記第２の筐体との結合部に位置するようになることを特徴とする折り畳み式携帯型通話装置。
【請求項２】
前記第２の筐体の前面側ケースに前記音孔を囲うように気室が設けられ、前記気室に近接して配設した前記スピーカより出力されたスピーカ出力音が前記気室内を伝わって前記音孔より出力されることを特徴とする請求項１記載の折り畳み式携帯型通話装置。
【請求項３】
側面に音道部を有し、前記音道部に気室の嵌合部との気密性を得るためにゴム製のリングを前記スピーカに設けたことを特徴とする請求項２記載の折り畳み式携帯型通話装置。
【請求項４】
前記スピーカの代わりに、マグネチックサウンダーを用いて成ることを特徴とする請求項１又は２記載の折り畳み式携帯型通話装置。
【請求項５】
通信方式として、Ｗ−ＣＤＭＡ方式又はＧＳＭ方式を用いたことを特徴とする請求項１〜４のいずれか一に記載の折り畳み式携帯型通話装置。
【請求項６】
第１、第２の筐体のヒンジ連結部をヒンジによって相互に回転可能に連結し、前記第１又は第２の筐体に設けられたスピーカから少なくとも呼び出し音を発生するようにした折り畳み式携帯型通話装置において、
前記第１又は第２の筐体のうち、前記スピーカが取り付けられた方の筐体のヒンジ連結部に放音用の音孔を設けて成り、前記スピーカで発生する音を前記音孔を介して出力することを特徴とする折り畳み式携帯型通話装置。
【発明の詳細な説明】
【０００１】
【発明の属する技術分野】
本発明は、携帯電話機等の折り畳み式携帯型通話装置に関する。
【０００２】
【従来の技術】
近年、携帯電話機のスピーカから出力される音は、従来の呼び出し音、アラーム音や効果音、ダウンロードしたメロディーだけで無く、ゲームを行う際の効果音、一部のキャリアで行われ始めている動画配信での音声、ＢＧＭ（Ｂａｃｋ　Ｇｒｏｕｎｄ　Ｍｕｓｉｃ）やＷ−ＣＤＭＡ（Ｗｉｄｅ　Ｂａｎｄ−Ｃｏｄｅ　Ｄｉｖｉｓｉｏｎ　Ｍｕｌｔｉｐｌｅ　Ａｃｃｅｓｓ）でのテレビ電話等の音声なども出力されることが多くなってきている。
この場合のゲームを行う際の効果音や動画配信、テレビ電話の音声等は、液晶表示装置（ＬＣＤ）等の表示部を見ながら聞くものである。
【０００３】
【発明が解決しようとする課題】
ところが、ストレートタイプ（非折り畳み式）の携帯電話機はもとより現在主流となってきている折り畳み式携帯電話機においても、メロディや音声を鳴動するスピーカの放音孔は筐体の背面、つまり表示部の背面または操作部の背面に設けられているものが殆どである。
スピーカの放音孔が筐体背面にある場合、スピーカからの出力音は使用者がスピーカの放音孔正面から聞いた場合と比較して音圧の劣化と周波数特性の変化が起こるため、充分な音量と特性を得るのが難しいという問題点がある。
【０００４】
この問題を解決する方法として、折り畳み式携帯電話機の表示部側にスピーカの放音孔を設けるようにすることが考えられるが、筐体を閉じた際にはスピーカ放音孔を塞いでしまい極端な音圧劣化が起こるため、着信時の呼び出し音が使用者に聞こえないという問題が起こる。
ＰＨＳ（Ｐｅｒｓｏｎａｌ　Ｈａｎｄｙｐｈｏｎｅ　Ｓｙｓｔｅｍ）等、他の折り畳み式携帯型通話装置においても同様の問題がある。
【０００５】
本発明は、折り畳み式携帯型通話装置において、筐体の折り畳み状態と非折り畳み状態における音質の変化を抑えることを課題としている。
【０００６】
【課題を解決するための手段】
本発明によれば、受話部及び表示部を有する第１の筺体と送話部及びキー入力部を備える第２の筺体とがヒンジにより回動可能に連結されて前記ヒンジを軸に相互に回転して折り畳み可能に構成された折り畳み式携帯型通話装置において、少なくとも着信音を鳴動するためのスピーカを前記第２の筐体内に設けると共に、呼出音放音用の音孔を前記第２の筐体のヒンジ結合部に設けて成り、前記第１の筐体の開閉状態により、前記第１の筐体を開いた状態では前記表示部の下部に前記音孔が位置することになり、前記第１の筐体を閉じた状態では前記音孔が背面側の前記第１の筐体と前記第２の筐体との結合部に位置するようになることを特徴とする折り畳み式携帯型通話装置が提供される。第１の筐体の開閉状態により、前記第１の筐体を開いた状態では表示部の下部に音孔が位置することになり、前記第１の筐体を閉じた状態では前記音孔が背面側の前記第１の筐体と第２の筐体との結合部に位置するようになる。
【０００７】
ここで、前記第２の筐体の前面側ケースに前記音孔を囲うように気室が設けられ、前記気室に近接して配設した前記スピーカより出力されたスピーカ出力音が前記気室内を伝わって前記音孔より出力されるように構成してもよい。
また、側面に音道部を有し、前記音道部に気室の嵌合部との気密性を得るためにゴム製のリングを前記スピーカに設けるように構成してもよい。
また、前記スピーカの代わりに、マグネチックサウンダーを用いてもよい。
また、通信方式として、Ｗ−ＣＤＭＡ方式又はＧＳＭ方式を用いてもよい。
また、本発明によれば、第１、第２の筐体のヒンジ連結部をヒンジによって相互に回転可能に連結し、前記第１又は第２の筐体に設けられたスピーカから少なくとも呼び出し音を発生するようにした折り畳み式携帯型通話装置において、前記第１又は第２の筐体のうち、前記スピーカが取り付けられた方の筐体のヒンジ連結部に放音用の音孔を設けて成り、前記スピーカで発生する音を前記音孔を介して出力することを特徴とする折り畳み式携帯型通話装置が提供される。第１又は第２の筐体のうち、スピーカが取り付けられた方の筐体のヒンジ連結部に設けた放音用の音孔から、前記スピーカで発生する音を出力する。
【０００８】
【発明の実施の形態】
先ず、本発明の実施の形態に係る折り畳み式携帯型通話装置の概要を説明すると、折り畳み式携帯電話機等の折り畳み式携帯型通話装置において、スピーカ放音孔を、２つの筐体を結合するために使用されるヒンジと筐体との結合部に設けることにより、スピーカ放音孔の位置が筐体を開いた状態では筐体前面の表示部側、筐体を閉じた状態では筐体背面側となるように構成している。これにより、スピーカ出力音の出力方向が変えられる。
【０００９】
したがって、使用者が表示部を見ながらスピーカからの出力音を聞く場合は、スピーカ放音孔は使用者と対峙できる装置前面の表示部の下部に位置するため、音圧劣化と周波数特性の変化を抑えられる。また、筐体を閉じた状態では、スピーカ放音孔が筐体結合部の装置背面側に位置するため、待受け中にスピーカから鳴動される着信音やメロディー音の音圧劣化及び周波数特性の著しい変化の発生が抑えられる。
【００１０】
また、本実施の形態に係る折り畳み式携帯型通話装置は、筐体の前面側ケースに呼出音放音用の音孔を囲うように気室が設けられ、気室に近接したスピーカより出力されたスピーカ出力音が気室内の空気を伝わりスピーカ放音孔より出力されるため、気室の容積とスピーカ音孔の面積を一般に知られるヘルムホルツの共鳴効果を用いて調整することで共振周波数を変化させ共鳴効果を得ることができるように構成されている。
【００１１】
以下、本発明の実施の形態に係る折り畳み式携帯型通話装置について詳細に説明する。
図１は本発明の実施の形態に係る折り畳み式携帯型通話装置の正面外観図、図２は図１の側面外観図を示す図で、折り畳み式携帯電話機１の例を示している。尚、図１及び図２では、開状態にある携帯電話機１を示しており、同一部分には同一符号を付している。
図３は、折り畳み式携帯電話機１を閉じた状態を示す図で、図１及び図２と同一部分には同一符号を付している。
【００１２】
図１及び図２に示すように、折り畳み構造を有する携帯電話機１は、第２の筐体２と、第２の筐体２の上端部にヒンジ４によって回動可能に連結された第１の筐体３とを有する構造となっている。
ヒンジ４にて回動させることにより、第１の筐体３が第２の筐体２に対して開閉されるようになっている。即ち、筐体３が図３に示す閉じた状態から筐体３を回動させることにより、筐体３が開いた状態（図１及び図２の状態）となり、これとは逆に、筐体３が開いた状態から筐体３を逆方向へ回動させることにより、筐体３が閉じた状態となる。携帯電話機１は、図２に示すように、筐体２と筐体３の仰角が最大で１５５度まで開き固定されるようになっている。
【００１３】
図４は携帯電話機１の組立図、図５はケース１１にスピーカ２５と回路基板２０を実装した状態のケース背面から見た正面図であり又、図６は図５におけるａ−ａ’断面図である。尚、図１〜図６において、同一部分には同一符号を付している。
【００１４】
以下、図１〜６を参照して、携帯電話機１の構成、特に、筐体２、３の構成について説明する。
第１及び第２の筐体３、２は、それぞれ前背面２つのケースと回路基板、スピーカやマイク等の電機部品で構成されており、前背面のケースを勘合させビスでネジ止めすることで固定される。
【００１５】
第２の筐体２の主な構成要素は、情報入力手段である各種入力キー５、マイク音孔１４であり又、温厚及びマイク音孔１４の下部に音声入力手段であるマイクロホンが設けられており、入力キー５の操作により発呼、着信操作、電話番号やアドレス、メール文章等の入力が行われ、マイクロホンによって音声入力が行われるようになっている。
スピーカ音孔１３の下部に着信音や着信メロディーを鳴動するためのスピーカ２５が設けられている。
【００１６】
第２の筐体２は、入力キー５のボタン面側のケース１１と背面側のケース１２と電源やキー入力部、表示部やスピーカ等の駆動回路、集積回路、通話に必要な無線回路を有する回路基板２０、キーシート２４等で構成される。ケース１１には、スピーカ音孔１３、マイク音孔１４と後述するキーシート２４のボタン用の貫通穴１５、スピーカ２５とケース１１のスピーカ音孔１３との間に設けられた気密な部屋（気室）１７、ネジ止め用のネジ穴１６が設けられている。
【００１７】
第１の筐体３は、表示部３４側のケース３１と背面側のケース３２と第２の回路基板３５、表示部３４、受話用スピーカ３６、ホイップアンテナ３９等で構成される。ケース３１には、受話音孔３３と透明なプラスティックで作られた表示部用のスクリーンが設けられている。ケース３２には、アンテナ３９を勘合保持するための筒とタップが設けられている。
【００１８】
第１の筐体３には、第２の回路基板３５の上に液晶ディスプレイ（ＬＣＤ）からなる表示手段である表示部３４及び受話音孔３３の下部に音声出力手段である受話用スピーカ（レシーバ）３６が設けられており、表示部３４に、各種の文字情報や画像情報が表示され、受話器より通話音声等の音が出力されるようになっている。第１の筐体３の上端部には、伸張可能なホイップアンテナ３９が設けられている。
尚、折り畳み構造を有する携帯電話機１には、バッテリーやイヤホンマイクの接続に用いるイヤホンジャック等が設けられているが、本願発明に直接的な関係は無いため図示を省略した。
【００１９】
次に、筐体２の内部構造の詳細について図４を用いて説明する。筐体２は、回路基板２０、入力キー５のボタン部であるキーシート２４、スピーカ２５等を入力キー５のボタン面側（前面側）のケース１１と背面側のケース１２とで挟み込むように把持されビスでネジ止めされている。スピーカ２５と回路基板２０との電気的接続は回路基板２０に設けられた２極コネクタ２１とスピーカ２５に設けられた接続用端子との接触で行われる。
【００２０】
次に、ケース１１の構成とスピーカ２５の実装構造について図５及び図６を用いて説明する。
先ず、ケース１１について詳細を説明する。ケース１１には、スピーカ音孔１３の３方向を囲う壁と壁の上面を囲う壁とで前気室１７が構成されている。前気室１７の一面にはスピーカ挿入口１８が設けられており、スピーカ挿入口１８にスピーカ２５の音道１０３を挿入する事により出力音がスピーカ音孔１３より出力される構造となっている。スピーカ音孔１３はケース１１のヒンジ結合部５０にケース１１の水平面に対し角度９０から１２０度となる位置に配置されている。
【００２１】
また、スピーカ挿入口１８とスピーカ２５との嵌合部の気密性を高めるためスピーカ２５にはスピーカにゴムリング２６をはめ込み、スピーカ挿入口１８に音道１０３を挿入するように実装されている。スピーカ２５とケース１１の固定は、スピーカ２５に貼りつけられた発泡材と両面テープからなるクッション２７をケース１１に貼りつけることで行われる。
また、ケース１１にはマイク音孔１４、キーシート２４の各ボタン用の貫通孔１５、ケース１２を固定させるためのビスのネジ穴（タップ）１６等が設けられている。その他、携帯電話機のバッテリー、表示部３４の構成及び実装等については、本願発明に直接関係がないため、図示及び説明を省略する。
【００２２】
次に、本実施の形態において実装されるスピーカ２５の構造について図７〜図９を用いて説明する。図７、図９は、それぞれスピーカ２５の正面図と背面図であり、図８は図５に図示されたａ−ａ’断面図である。
本実施の形態に用いられるスピーカは永久磁石によって構成される磁束とボイスコイルに電流を流すことで得られる磁束によって発生する駆動力により薄膜フィルムを振動させるダイナミックタイプである。
【００２３】
本スピーカの発音のメカニズムは、一般的なダイナミックスピーカと相違ないため説明を割愛する。本スピーカの特徴は、スピーカ出力音がが一般的なスピーカに見られるプロテクタ部１０１に設けられた放音孔からではなく、フレーム１０２の側面に設けられた音道１０３より出力される点である。
構成要素は磁気回路、接続用端子部１０９を支持するＰＰＡ等のプラスティックで設けられたフレーム１０２、磁気回路を構成するためのヨーク１０４、トッププレート１０６、永久磁石１０５、ボイスコイル１０７を有する振動板１０８、ＳＵＳ等の金属材質からなる内部構成要素を保護するためのプロテクタ１０１、フレーム１０２の側面に設けられた音道１０３があり、フレーム１０２には内部より外部に貫通孔１１０が設けられており振動板１０８の排気孔として用いられている。
【００２４】
接続用端子部１０９は、金メッキされた金属端子板であり、回路基板２０に搭載された２極コネクタ２１との接触による電気的な接続を可能としている。
本スピーカの接続方法としては、上述する方法のほかに接続用端子部１０９の位置に板バネを設ける方法や接続用端子部１０９にコネクタ付きリード線を半田付けし２極コネクタ２１に挿入する方法もある。
音道１０３には、ゴムリング２６をはめ込むことができる溝が設けられている。
【００２５】
以上のように構成された本実施の形態に係る携帯電話機１の動作について、図１〜図９を参照して説明する。
図１に示すように、折り畳み構造を有する携帯電話機１は、筐体２と筐体２の上端部にヒンジ４によって回動可能に連結された筐体３とを有した構造となっている。
【００２６】
携帯電話機１は、ヒンジ４の回動により、筐体３が筐体２に対して開閉されるようになっている。つまり、図１に示すように筐体３は図２に示す閉じた状態から筐体３を回動させることによりと筐体３の仰角が最大で１５５度まで開き固定されるようになっている。これとは逆に、筐体３が開いた状態から筐体３を逆方向へ回動させることにより、筐体３が閉じた状態となる。
筐体開閉時でのスピーカ音孔１３の位置とスピーカ音の出力方向について説明すると、図１０のように筐体３を開いた状態では、スピーカ音孔１３は筐体３表示部３４の下部に現れ、図１１のように筐体３が閉じられた状態では、スピーカ音孔１３は筐体２と筐体３の結合部５０の背面側に位置する。
【００２７】
つまり、スピーカ出力音は筐体３を開いた状態では、筐体３の表示部３４下部のスピーカ音孔１３より装置正面へ出力され、筐体３を閉じた状態では、筐体２と筐体３の結合部背面側のスピーカ音孔１３より装置背面側に出力される。
このように、携帯電話機１では筐体３の開閉動作によりスピーカ音孔１３の位置が閉じた状態では筐体背面、筐体３を開いた状態では筐体前面となるため、スピーカ音の出力方向を変えることが可能となる。
【００２８】
次に、本携帯電話機１を実際に使用する場合の動作について説明する。使用者がダウンロードしたメロディーやゲームを行う際の効果音や音声を聞く場合について説明する。
この場合、使用者は表示部３４を見ながら入力キー５を操作し着信メロディーのダウンロードや再生、ゲーム、Ｗ−ＣＤＭＡのテレビ電話や動画配信等を行うことになる。この操作を行う際、使用者は筐体３を開いた状態とし携帯電話機１を左手または右手に持ち表示部３４を見ながら入力キー５を操作することになる。
【００２９】
この時、携帯電話機１は図１のように筐体３が開かれた状態となるため、図１０のように音孔１３は筐体前面、筐体３表示部３４の下部に現れる。したがって、使用者と音孔１３とが対峙する位置となりスピーカからの出力は使用者に回折無く、最短距離で届くため、メロディー、ゲームの効果音や音声等が音圧劣化及び周波数特性の変化が少なく使用者に聞こえるという利点がある。
【００３０】
次に、携帯電話機１を使用者が操作していない場合の動作について説明する。使用者が携帯電話機１を操作していない場合は、机やテーブルの上に置かれた状態、ポケットに入れられた状態、充電器に置かれた状態等が考えられるが、その場合の多くは図３のように携帯電話機１の筐体３を閉じた状態であることが多い。この場合、スピーカ音孔１３が筐体３表示部３４の下部に配していたと仮定するとスピーカ音孔１３が筐体２に塞がれてしまうため極端な音圧の劣化が発生し、使用者に携帯電話機１に着信があったこと報知することが困難となる。
【００３１】
しかし、携帯電話機１の筐体３を閉じた状態においても図３及び図１１のように、スピーカ音孔１３は筐体２と筐体３の結合部５０の装置背面側に位置するため、スピーカ音孔１３が筐体２及び筐体３に塞がれることがない。つまり、スピーカからの出力音である着信音やメロディー、音声が携帯電話機１の筐体３を閉じた状態においても音圧劣化が発生することなく出力される。
【００３２】
以上のように、本実施の形態に係る折り畳み式携帯電話機１では、スピーカ音孔１３をヒンジ４と２つの筐体２、３との結合部５０に設けることにより、スピーカ音の出力方向を装置（携帯電話機１）が開かれた状態では装置正面（表示部）側へ、装置（携帯電話機１）が閉じられた状態では装置背面側へと出力方向を変えることが可能である。
【００３３】
つまり、使用者が表示部を見ながらスピーカからの出力音を聞く場合は、スピーカ放音孔は使用者と対峙できる装置前面の表示部の下部に位置するため音圧劣化と周波数特性の変化を抑えられ、筐体を閉じた状態ではスピーカ放音孔が筐体結合部５０の装置背面側に位置するため、待受け中にスピーカから鳴動される着信音やメロディー音の音圧劣化及び周波数特性の著しい変化は発生しないという利点がある。
【００３４】
次に本発明の他の実施の形態について、図６を参照して説明する。
前述した通り図６は、スピーカ２５をケース１１に実装した状態の断面図でありケース１１には、スピーカ音孔１３の３方向を囲う壁と壁の上面を囲う壁とで前気室１７が構成されており、ゴムリング２６のついたスピーカ２５の音道１０３をスピーカ挿入口１８より挿入し気密性を確保することで出力音がスピーカ音孔１３より出力される構造となっている。
【００３５】
このように、前気室１７、スピーカ２５に音道１０３を設けているため、従来の携帯電話機と比較しスピーカ前面の容積が多い構造となっている。このため、スピーカ前面の容積を利用しスピーカ音孔１３の面積を下記式（１）に示すヘルムホルツの共鳴式を用いて調整することで共振周波数を変化させ共鳴効果を得ることができ、スピーカ出力音の高域のある周波数帯を強調させることを可能にしている。
【００３６】
Ｆｖ＝（Ｃ×Ｄ／４）×√（１／（Ｖ×（Ｌ＋Ａ×Ｄ）×π））・・・（１）
但し、Ｆｖは共鳴室共振周波数（Ｈｚ）、Ｖは共鳴室容積（ｍｍ３）、Ｄは放音孔径（ｍｍ）、Ｌは筐体のケース厚み（ｍｍ）、Ｃは音速（約３４４，０００（ｍｍ／ｓｅｃ）、Ａは定数（０．７５）である。
前記式（１）はドイツの物理学者ヘルムホルツが考案したものであり一般に広く知られ、共鳴室の容積、放音孔径、放音孔部のケース厚みを与えることで共鳴室の共振周波数が算出できる式である。
【００３７】
図１２の表は、共鳴室の容積を１００ｍｍ３、１５０ｍｍ３、２００ｍｍ３とし、音孔面積を変化させた場合にヘルムホルツの共鳴式を用いて算出した共振周波数の一覧表である。共鳴室の容積を１５０ｍｍ３、音孔面積を１０ｍｍ２と設定した場合は、共振周波数７３７６Ｈｚを中心周波数とし、共鳴効果を得る事ができる。
【００３８】
以上述べたように、本実施の形態に係る折り畳み式携帯電話機は、第１、第２の筐体２、３のヒンジ連結部５０をヒンジ４によって相互に回転可能に連結し、第１又は第２の筐体２、３に設けられたスピーカから少なくとも呼び出し音を発生するようにした折り畳み式携帯型通話装置１において、第１又は第２の筐体２、３のうち、スピーカ２５が取り付けられた方の筐体２のヒンジ連結部５０に放音用の音孔１３を設けて成り、スピーカ２５で発生する音を音孔１３を介して出力することを特徴としている。
より詳細には、本実施の形態に係る折り畳み式携帯電話機は、受話部及び表示部を有する第１の筺体と送話部及びキー入力部を備える第２の筺体とがヒンジにより回動可能に連結されて前記ヒンジを軸に相互に回転して折り畳み可能に構成された折り畳み式携帯型通話装置において、少なくとも着信音を鳴動するためのスピーカを前記第２の筐体内に設けると共に、呼出音放音用の音孔を前記第２の筐体のヒンジ結合部５０に設けて成り、前記第１の筐体の開閉状態により、前記第１の筐体を開いた状態では前記表示部の下部に前記音孔が位置することになり、前記第１の筐体を閉じた状態では前記音孔が背面側の前記第１の筐体と前記第２の筐体との結合部５０に位置するようになることを特徴としている。
【００３９】
即ち、前記実施の形態によれば、折り畳み式携帯電話機１においてスピーカ音孔１３を筐体２のヒンジ結合部５０に設けているため、筐体の開閉によりスピーカから出力される着信メロディーや効果音や音声の出力方向を筐体の前背面に切り替えることができる。具体的には、筐体３を開いた状態では装置前面の表示部３４の下部にスピーカ音孔１３が現れ、筐体３を閉じた状態ではスピーカ音孔１３は筐体の背面側の筐体２と筐体３の結合部５０に現れるものであり、スピーカからの出力音の出力方向が筐体３の開閉状態により切り替えられる。
【００４０】
また、使用者が表示部を見ながらダウンロードしたメロディーやゲームの効果音等の出力音を聞く場合、スピーカ放音孔は使用者と対峙できる装置前面の表示部の下部に位置するため音圧劣化と周波数特性の変化を抑えられ、スピーカ放音孔が装置背面側に配置された場合と比較し音圧の劣化が少なく、優良な特性を得られる。よって、筐体の折り畳み状態と非折り畳み状態における音質の変化を抑えることが可能になる。
また、スピーカを実装するケースに設けられた前気室とスピーカ音道の容積を利用しスピーカ音孔の面積を一般に知られるヘルムホルツの共鳴効果を用いて調整することで共振周波数を変化させ共鳴効果を得ることができる。
【００４１】
尚、前記第２の筐体の前面側ケースに前記音孔を囲うように気室が設けられ、前記気室に近接して配設した前記スピーカより出力されたスピーカ出力音が前記気室内を伝わって前記音孔より出力されるように構成してもよい。
また、側面に音道部を有し、前記音道部に気室の嵌合部との気密性を得るためにゴム製のリングを前記スピーカに設けるようにしてもよい。
【００４２】
また、前記実施の形態では折り畳み式携帯型通話装置の例として携帯電話機の例で説明したが、ＰＨＳ（パーソナルハンディーホンシステム）等の折り畳み式携帯型通話装置にも適用することが可能である。
また、着信音、メロディー鳴動用スピーカ２５の代わりに、マグネチックサウンダーを使用してもよい。
また、通信方式として、Ｗ−ＣＤＭＡ方式、あるいは、ＧＳＭ（Ｇｌｏｂａｌ　Ｓｙｓｔｅｍ　ｆｏｒ　Ｍｏｂｉｌｅ　ｃｏｍｍｕｍｉｃａｔｉｏｎ）方式を用いてもよい。
【００４３】
【発明の効果】
本発明によれば、折り畳み式携帯型通話装置において、筐体の折り畳み状態と非折り畳み状態における音質の変化を抑えることが可能になる。
【図面の簡単な説明】
【図１】本発明の実施の形態に係る折り畳み式携帯電話機の正面外観図である。
【図２】本発明の実施の形態に係る折り畳み式携帯電話機の側面外観図である。
【図３】本発明の実施の形態に係る折り畳み式携帯電話機の外観図で、折り畳んだ状態を示す正面外観図である。
【図４】本発明の実施の形態に係る折り畳み式携帯電話機の組立図である。
【図５】本発明の実施の形態に係る折り畳み式携帯電話機の内部構成を示す図である。
【図６】本発明の実施の形態に係る折り畳み式携帯電話機の断面図である。
【図７】本発明の実施の形態に係る折り畳み式携帯電話機で使用するスピーカの正面図である。
【図８】本発明の実施の形態に係る折り畳み式携帯電話機で使用するスピーカの断面図である。
【図９】本発明の実施の形態に係る折り畳み式携帯電話機で使用するスピーカの背面図である。
【図１０】本発明の実施の形態に係る折り畳み式携帯電話機の開いた状態を示す説明図である。
【図１１】本発明の実施の形態に係る折り畳み式携帯電話機の折り畳んだ状態を示す説明図である。
【図１２】本発明の他の実施の形態に係る折り畳み式携帯電話機の共振周波数を示す図である。
【符号の説明】
１・・・折り畳み式携帯型通話装置としての折り畳み式携帯電話機
２・・・第２の筐体
３・・・第１の筐体
４・・・ヒンジ
５・・・入力キー
１１・・・ボタン面（前面）側ケース
１２・・・背面側ケース
１３・・・スピーカ音孔
１４・・・総和部を構成するマイク音孔
１５・・・貫通孔
１６・・・ネジ穴
１７・・・気室
１８・・・スピーカ挿入口
２０、３５・・・回路基板
２１・・・コネクタ
２４・・・キーシート
２５・・・スピーカ
２６・・・ゴムリング
２７・・・クッション
３１・・・表示部（前面）側ケース
３２・・・背面側ケース
３３・・・受話部を構成する受話音孔
３４・・・表示部
３６・・・受話用スピーカ
３９・・・アンテナ
５０・・・結合部
１０１・・・プロテクタ部
１０２・・・フレーム
１０３・・・音道
１０４・・・ヨーク
１０５・・・永久磁石
１０６・・・トッププレート
１０７・・・ボイスコイル
１０８・・・振動板
１０９・・・接続用端子部
１１０・・・貫通孔
【図１】
2004023368.tif 000003
【図２】
2004023368.tif 000004
【図３】
2004023368.tif 000005
【図４】
2004023368.tif 000006
【図５】
2004023368.tif 000007
【図６】
2004023368.tif 000008
【図７】
2004023368.tif 000009
【図８】
2004023368.tif 000010
【図９】
2004023368.tif 000011
【図１０】
2004023368.tif 000012
【図１１】
2004023368.tif 000013
【図１２】
2004023368.tif 000014